(57)【要約】【課題】まつ毛のカールアップ及びまつ毛へのマスカラ剤の付与を、簡易な器具で同時に且つ簡便に行うことができるようにしたマスカラ付与具及びマスカラ付与方法を提供すること。【解決手段】まつ毛を挟んで押圧する第１押圧部材２及び第２押圧部材３を具備し、該第１押圧部材２又は該第２押圧部材３は、マスカラ組成物がフィルム材の表面に塗工されてなるフィルム状マスカラ剤Ｍを装着できるようになっており、前記フィルム状マスカラ剤Ｍを前記第１押圧部材２又は前記第２押圧部材３に装着した状態で、まつ毛を該第１押圧部材２と該第２押圧部材３との間で挟んで押圧することにより、まつ毛にマスカラ剤Ｍを転写できるようになっている。【選択図】図１
2006115888.tif 000002
【特許請求の範囲】
【請求項１】
まつ毛を挟んで押圧する第１押圧部材及び第２押圧部材を具備し、該第１押圧部材又は該第２押圧部材は、マスカラ組成物がフィルム材の表面に塗工されてなるフィルム状マスカラ剤を装着できるようになっており、
前記フィルム状マスカラ剤を前記第１押圧部材又は前記第２押圧部材に装着した状態で、まつ毛を該第１押圧部材と該第２押圧部材との間で挟んで押圧することにより、まつ毛にマスカラ剤を転写できるようになっているマスカラ付与具。
【請求項２】
前記第１押圧部材は第１作動杆に連設され、前記第２押圧部材は連携杆を介して第２作動杆に連設されており、
前記第１作動杆の後端部に第１指掛部が設けられ、前記第２作動杆の後端部に第２指掛部が設けられており、
前記第１作動杆及び前記第２作動杆は、それらの中間部で回動自在に軸支され且つ前記第１指掛部と前記第２指掛部とが近接離反自在に設けられており、
前記第１指掛部と前記第２指掛部との近接状態において前記第１押圧部材と前記第２押圧部材とが密接し、該第１指掛部と該第２指掛部とを離反させると、該第１押圧部材と該第２押圧部材とが離反するようになっている請求項１記載のマスカラ付与具。
【請求項３】
前記第１押圧部材及び前記第２押圧部材は、まつ毛の生え際の形状に倣った湾曲形状を有している請求項１又は２に記載のマスカラ付与具。
【請求項４】
まつ毛を前記第１押圧部材と前記第２押圧部材との間で挟んで押圧することによりまつ毛にマスカラ剤を転写するのと同時に、まつ毛をカールアップできるようになっている請求項１〜３の何れに記載のマスカラ付与具。
【請求項５】
マスカラ組成物がフィルム材の表面に塗工されてなるフィルム状マスカラ剤を、まつ毛とともに２つの押圧部材の間で挟んで押圧することにより、まつ毛にマスカラ剤を転写するマスカラ付与方法。
【発明の詳細な説明】
【技術分野】
【０００１】
本発明は、マスカラ剤をまつ毛に付与するマスカラ付与具及びマスカラ付与方法に関する。
【背景技術】
【０００２】
従来、まつ毛を形よく美麗に見せるためのマスカラ製品としては、液状ないしクリーム状のマスカラ剤をブラシ等でまつ毛に付与するものが主流であり、マスカラ剤のまつ毛への付与は、例えば、挟み込み式のカーラー（ビューラー）でまつ毛を挟んで物理的にカールアップ（くせ付け）した後、マスカラ剤をまつ毛にブラシで塗布することにより行なわれている。前記挟み込み式のカーラーは、例えば、特開平９−１７３１３０号公報に開示されている。
【０００３】
【特許文献１】特開平９−１７３１３０号公報
【発明の開示】
【発明が解決しようとする課題】
【０００４】
このように、従来は、カールアップ作業の後、別途マスカラ剤の付与を行っており、しかも何回も塗布作業を行う必要があるため、作業が煩雑である。
【０００５】
従って、本発明の目的は、まつ毛のカールアップ及びまつ毛へのマスカラ剤の付与を、簡易な器具で同時に且つ簡便に行うことができるようにしたマスカラ付与具及びマスカラ付与方法を提供することにある。
【課題を解決するための手段】
【０００６】
本発明は、まつ毛を挟んで押圧する第１押圧部材及び第２押圧部材を具備し、該第１押圧部材又は該第２押圧部材は、マスカラ組成物がフィルム材の表面に塗工されてなるフィルム状マスカラ剤を装着できるようになっており、前記フィルム状マスカラ剤を前記第１押圧部材又は前記第２押圧部材に装着した状態で、まつ毛を該第１押圧部材と該第２押圧部材との間で挟んで押圧することにより、まつ毛にマスカラ剤を転写できるようになっているマスカラ付与具を提供することにより、上記目的を達成したものである。
【０００７】
また、本発明は、マスカラ組成物がフィルム材の表面に塗工されてなるフィルム状マスカラ剤を、まつ毛とともに２つの押圧部材の間で挟んで押圧することにより、まつ毛にマスカラ剤を転写するマスカラ付与方法を提供するものである。
【発明の効果】
【０００８】
本発明のマスカラ付与具及びマスカラ付与方法によれば、まつ毛のカールアップ及びまつ毛へのマスカラ剤の付与を、簡易な器具で同時に且つ簡便に行うことができる。
【発明を実施するための最良の形態】
【０００９】
本発明のマスカラ付与具を、その好ましい一実施形態について図面を参照しながら説明する。
本実施形態のマスカラ付与具１は、図１及び図２に示すように、まつ毛を挟んで押圧する第１押圧部材２及び第２押圧部材３を具備し、該第２押圧部材３は、マスカラ組成物がフィルム材の表面に塗工されてなるフィルム状マスカラ剤Ｍを装着できるようになっており、前記フィルム状マスカラ剤Ｍを前記第２押圧部材３に装着した状態で、まつ毛を該第１押圧部材２と該第２押圧部材３との間で挟んで押圧することにより、まつ毛にマスカラ剤を転写できるようになっている。
【００１０】
本実施形態のマスカラ付与具１について詳述する。本実施形態のマスカラ付与具１においては、図１及び図２に示すように、第１押圧部材２は第１作動杆４に連設され、第２押圧部材３は連携杆６を介して第２作動杆５に連設されている。
【００１１】
先ず、第１作動杆４、第２作動杆５及び連携杆６について説明する。
第１作動杆４は、図１及び図２に示すように、Ｙ字状の杆状部材であり、その先端部４１側が二股に分かれ、平行杆部４４となっており、その後端部４２側が合流杆部となっている。第１作動杆４の中間部には、第１軸支孔４３が設けられている。第１作動杆４の後端部４２には、第１指掛部７が設けられている。
【００１２】
第２作動杆５は、図１及び図２に示すように、棒状の杆状部材であり、その先端部５１には、第２嵌挿孔５４が設けられている。第２作動杆５の中間部には、第１作動杆４の第１軸支孔４３と軸支するための第２軸支孔５３が設けられている。第２作動杆５の後端部５２には、第２指掛部８が設けられている。
【００１３】
連携杆６は、図１及び図２に示すように、Ｕ字状の杆状部材からなり、その二股の先端部６１が第２押圧部材３の背面に連結されており、その後端部６２が第２作動杆５の先端部５１の第２嵌挿孔５４に嵌挿されている。
第１指掛部７及び第２指掛部８は、指を掛けられる輪状形状を有している。
【００１４】
第１押圧部材２及び第２押圧部材３は、まつ毛を挟んで押圧するものである。
第１押圧部材２は、図１及び図２に示すように、板状部材からなり、平行杆部４４の先端部４１側を亘って設けられている。第１押圧部材２の下面は、平面視でまつ毛の生え際の形状に倣った湾曲形状、即ち上方に向けて凹んだ湾曲形状を有している。
【００１５】
第２押圧部材３は、第１押圧部材２と対になる部材で、第２押圧部材３の両端部それぞれには、図１及び図２に示すように、第１嵌挿孔３１，３１が設けられている。そして、第２押圧部材３の第１嵌挿孔３１，３１それぞれには、第１作動杆４の平行杆部４４，４４が挿通されており、そのため、第２押圧部材３は、平行杆部４４における第１押圧部材２よりも後端部４２側を平行杆部４４の軸方向に沿って移動可能となっている。
【００１６】
第２押圧部材３の前面には、図３に示すように、背面から前面に向けて延出するフィルム装着部３２が設けられている。フィルム装着部３２の上面は、平面視でまつ毛の生え際の形状に倣った湾曲形状、即ち上方に向けて突出した湾曲形状を有している。
第２押圧部材３のフィルム装着部３２の周面には、図３に示すように、断面を横Ｕ字状にしたフィルム状マスカラ剤Ｍを、マスカラ剤層を外側にして装着できるようになっている。
尚、本発明において、マスカラ付与具及びその構成要素における「前面」及び「背面」とは、それぞれ、マスカラ付与作業時における使用者の顔（まつ毛）に対する面及びその反対面を意味する。
【００１７】
図１及び図２に示すように、第１作動杆４の第１軸支孔４３及び第２作動杆５の第２軸支孔５３には、軸支ピンＰが嵌挿されており、第１作動杆４及び第２作動杆５は、それらの中間部で回動自在に軸支され且つ第１指掛部７と第２指掛部８とが近接離反自在に設けられている。そのため、第１指掛部７と第２指掛部８との近接状態において第１押圧部材２と第２押圧部材３とが密接し、第１指掛部７と第２指掛部８とを離反させると、第１押圧部材２と第２押圧部材３とが離反するようになっている。
【００１８】
詳細には、第１指掛部７と第２指掛部８とを近接させると、図２に示すように、第２作動杆５及び連携杆６を介して、第２押圧部材３が第１押圧部材２に密接するまで移動し、第１指掛部７と第２指掛部８との離反させると、図１に示すように、第２作動杆５及び連携杆６を介して、第２押圧部材３が第１押圧部材２から離間する方向に移動するようになっている。
本実施形態のマスカラ付与具１においては、フィルム状マスカラ剤Ｍを第２押圧部材３に装着した状態で、まつ毛を第１押圧部材２と第２押圧部材３との間で挟んで押圧することによりまつ毛にマスカラ剤を転写するのと同時に、まつ毛をカールアップできるようになっている。
【００１９】
次に、フィルム状マスカラ剤について説明する。フィルム状マスカラ剤は、マスカラ組成物がフィルム材の表面に塗工されてなるものである。マスカラ組成物は、ワックス成分、顔料、各種ポリマー成分、油剤等を混合して得られる組成物であり、常温で流動性のない塗膜を形成し得るものである。これを、適宜加温して、及び／又は適当な溶剤で希釈して、ポリエステル、ポリオレフィン等の基材フィルム上に塗工してフィルム状マスカラ剤とすることができる。
基材フィルムの厚さは１０〜２００μｍ程度が好ましく、塗工層の厚さは５〜１００μｍ程度が好ましい。
かかるフィルム状マスカラ剤を、後述のように、まつ毛とともに押圧部材の間に挟んで押圧することにより、マスカラ組成物がまつ毛に転写され、まつ毛に対して好適な付着性を示す。
フィルム状マスカラ剤は、前記第２押圧部材３のフィルム装着部３２に装着可能なものであれば、マスカラ剤を付着させる範囲等に応じて適当な大きさのものを用いることができる。
【００２０】
本実施形態のマスカラ付与具１の好ましい一使用態様であるマスカラ付与方法について説明する。
本実施態様のマスカラ付与方法は、マスカラ組成物がフィルム材の表面に塗工されてなるフィルム状マスカラ剤Ｍを、まつ毛とともに２つの押圧部材（第１押圧部材２、第２押圧部材３）の間で挟んで押圧することにより、まつ毛にマスカラ剤Ｍを転写するものである。
【００２１】
本実施態様のマスカラ付与方法について詳述する。
先ず、図１に示すように、第１指掛部７と第２指掛部８とを離反させて、第１押圧部材２と第２押圧部材３とを離反させる。そして、図１及び図３に示すように、第２押圧部材３のフィルム装着部３２にフィルム状マスカラ剤Ｍをマスカラ剤層ｄを外側にして装着する。次に、第１押圧部材２の下面を、まつ毛の根元近傍の上方に配置する。その状態で、第１指掛部７と第２指掛部８とを近接させて、第１押圧部材２と第２押圧部材３とを密接させる。
【００２２】
その結果、まつ毛が、第１押圧部材２と、第２押圧部材３に装着されたフィルム状マスカラ剤Ｍとの間で押圧されて、所定形状にカールアップされる。また、同時に該押圧力により、フィルム状マスカラ剤Ｍのマスカラ剤層ｄがまつ毛に転写される。
このように、本実施形態のマスカラ付与具１によれば、まつ毛のカールアップ及びまつ毛へのマスカラ剤の付与を、簡易な器具で同時に且つ簡便に行うことができるよ
【００２３】
本発明のマスカラ付与具は、前記実施形態及びその使用態様に制限されることなく、本発明の趣旨を逸脱しない限り、適宜変更が可能である。
前記実施形態においては、第２押圧部材にフィルム状マスカラ剤を装着させる構造を採用しているが、本発明のマスカラ付与具においては、第１押圧部材にフィルム状マスカラ剤を装着させる構造を採用することができる。
フィルム状マスカラ剤を第１押圧部材又は第２押圧部材に装着させる構造については、種々の構造を採用することができる。また、第１押圧部材と第２押圧部材とを密接離反させる構造についても、種々の構造を採用することができる。
また、本発明のマスカラ付与方法も、前記実施態様に制限されることなく、本発明の趣旨を逸脱しない限り、適宜変更が可能である。
【図面の簡単な説明】
【００２４】
【図１】図１は、本発明のマスカラ付与具の一実施形態を示す斜視図で、第１押圧部材と第２押圧部材とを離反させた状態を示す図である。
【図２】図２は、本発明のマスカラ付与具の一実施形態を示す斜視図で、第１押圧部材と第２押圧部材とを密接させた状態を示す図である。
【図３】図３は、図１に示すマスカラ付与具における第２押圧部材を示す側面視中央縦断面図である。
【符号の説明】
【００２５】
１  マスカラ付与具
２  第１押圧部材
３  第２押圧部材
３１  第１嵌挿孔
３２  フィルム装着部
４  第１作動杆
４１  先端部
４２  後端部
４３  第１軸支孔
４４  平行杆部
５  第２作動杆
５１  先端部
５２  後端部
５３  第２軸支孔
５４  第２嵌挿孔
６  連携杆
６１  先端部
６２  後端部
７  第１指掛部
８  第２指掛部
Ｍ  フィルム状マスカラ剤
Ｐ  軸支ピン
【図１】
2006115888.tif 000003
【図２】
2006115888.tif 000004
【図３】
2006115888.tif 000005